(57)【要約】【課題】簡易な構成で、特定人員に対して特定の箇所に限定して入所・入場を許可することで、セキュリティの向上を図るような入退管理システムを提供する。【解決手段】ドアの解錠許可・解錠不許可を決定する設定テーブルデータをドア別に設定登録する管理装置１１を有する親局側管理システム１０と、非接触ＩＣカード４０から識別データを非接触で読み出す読み書き部２４と、識別データと設定テーブルデータとを対比して解錠の是非を判断するコントロール装置２１と、コントロール装置２１で解錠すると判断した場合にドア２００の解錠を行う電子錠２５と、を有する子局側管理システム２０と、を備える入退管理システム１とする。【選択図】図１
2008027140.tif 000002
【特許請求の範囲】
【請求項１】
識別データに対するドアの解錠許可または解錠不許可を決定する設定テーブルデータをドア別に設定登録する管理装置を有する親局側管理システムと、
非接触ＩＣカードが電磁結合された場合にその非接触ＩＣカードから識別データを非接触で読み出す読み出し部と、読み出し部から送信される識別データと管理装置から送信される設定テーブルデータとを対比して解錠するかしないかを判断するコントロール装置と、コントロール装置で解錠すると判断した場合にドアの解錠を行う電子錠と、を有する子局側管理システムと、
を備えることを特徴とする入退管理システム。
【請求項２】
請求項１に記載の入退管理システムにおいて、
子局側管理システムは工事開始または工事終了についての状況データを子局側管理システムのコントロール装置へ送信する管理端末を有し、
子局側管理システムのコントロール装置は、電子錠の開閉状態データを取得し、開閉状態データによる解錠の検知および状況データによる工事開始の検知があった場合は正常であると判断し、また、開閉状態データによる解錠の検知のみで状況データを未受信の場合は異常な解錠であると判断する手段として機能することを特徴とする入退管理システム。
【請求項３】
請求項１または請求項２に記載の入退管理システムにおいて、
親局側管理システムの管理装置は、設定テーブルデータに解錠許可の許可期間を併せて設定登録する手段として機能することを特徴とする入退管理システム。
【請求項４】
請求項１〜請求項３の何れか一項に記載の入退管理システムにおいて、
親局側管理システムは、非接触ＩＣカードが電磁結合された場合にその非接触ＩＣカードから識別データを非接触で読み出す読み出し部と、ドアの解錠を行う電子錠と、をさらに有し、
親局側管理システムの管理装置は、識別データに対するドアの解錠許可または解錠不許可を決定する設定テーブルデータをドア別に設定登録する手段と、親局側管理システムの読み出し部から送信される識別データと設定テーブルデータとを対比して解錠するかしないかを判断する手段と、解錠すると判断した場合に親局側管理システムの電子錠を解錠するように制御する手段と、
として機能することを特徴とする入退管理システム。
【請求項５】
請求項４に記載の入退管理システムにおいて、
親局側管理システムは、工事開始または工事終了についての状況データを親局側管理システムの管理装置へ送信する管理端末を有し、
親局側管理システムの管理装置は、親局側管理システムの電子錠の開閉状態データを取得し、開閉状態データによる解錠の検知および状況データによる工事開始の検知があった場合は正常であると判断し、また、開閉状態データによる解錠の検知のみで状況データを未受信の場合は異常な解錠であると判断する手段として機能することを特徴とする入退管理システム。
【発明の詳細な説明】
【技術分野】
【０００１】
本発明は、非接触ＩＣカードを用いて入退を管理する入退管理システムに関する。
【背景技術】
【０００２】
入退管理システムの従来技術として例えば特許文献１（特許公報第２８０７４１９号，発明の名称「入退所管理システム」）が知られている。この従来技術は中央の監視所に設置する入退所管理親局装置と、遠隔地に複数散在する無人施設に設置する入退所管理子局装置と、これらを電話回線で接続する伝送手段とを備えた入退所管理システムである。親局装置は、無人施設の場所、入所日、入所者、入所目的を予め登録及び記憶して入所者へ所定の情報を書き込んだ入所許可カードを発行する。子局装置は、カードリーダーにより入所許可カードを読み取り、所定の入所情報及び退所情報をそれぞれ伝送手段を介して親局装置へ伝送し、親局装置で登録された情報を入所情報と照合した結果に基づいて入所許可／不可情報を表示する。これにより、入退所管理帳簿の作成を簡略化し、また入退所の都度電話を掛けたり受けたりする手間を無くし、省力化を図っている。
【０００３】
入退所管理システムの他の従来技術として例えば特許文献２（特開２００４−０７０５４２号公報，発明の名称「入退場管理システムおよび方法」）が知られている。この従来技術は、予め所有者に係る所有者情報を記録した可搬記録媒体により特定の場所への入退場を管理し入退場に係る入退場情報を可搬記録媒体に記録する第１の管理手段と、第１の管理手段により可搬記録媒体に記録した入退場情報に基づき該場所内の設備に対する利用の可否を管理する第２の管理手段とを設けた入退場管理システムとしている。このような入退場管理システムでは、侵入者に対して該場所内の設備の不正利用を防止可能な安価で利便性の良いシステムとしている。
【０００４】
【特許文献１】特許公報第２８０７４１９号（図１）
【特許文献２】特開２００４−７０５４２号公報（図２）
【発明の開示】
【発明が解決しようとする課題】
【０００５】
特許文献１に記載された従来技術では、受付や守衛所にて入所しようとする来訪者に対して入所許可されているか否かを判断するシステムであって、悪意ある不審者の侵入に対処するものではなかった。したがって、セキュリティの観点から問題があった。
また、特許文献２に記載の従来技術では、入口の開閉を自動的に行う点でセキュリティを向上させているが、変電所のようなある箇所の多数あるドアの開閉を任意に設定できるというものではなかった。例えば、工事や荷物搬入など特定箇所の必要なドアに限定して解錠することで限定的に入場を許可したいという要請があった。
【０００６】
そこで、本発明は、上述の課題を解決するためになされたものであり、その目的は、簡易な構成で、特定人員に対して特定の箇所に限定して入所・入場を許可することで、セキュリティの向上を図るような入退管理システムを提供することにある。
【課題を解決するための手段】
【０００７】
本発明の請求項１に係る入退管理システムは、
識別データに対するドアの解錠許可または解錠不許可を決定する設定テーブルデータをドア別に設定登録する管理装置を有する親局側管理システムと、
非接触ＩＣカードが電磁結合された場合にその非接触ＩＣカードから識別データを非接触で読み出す読み出し部と、読み出し部から送信される識別データと管理装置から送信される設定テーブルデータとを対比して解錠するかしないかを判断するコントロール装置と、コントロール装置で解錠すると判断した場合にドアの解錠を行う電子錠と、を有する子局側管理システムと、
を備えることを特徴とする。
【０００８】
また、本発明の請求項２に係る入退管理システムは、
請求項１に記載の入退管理システムにおいて、
子局側管理システムは工事開始または工事終了についての状況データを子局側管理システムのコントロール装置へ送信する管理端末を有し、
子局側管理システムのコントロール装置は、電子錠の開閉状態データを取得し、開閉状態データによる解錠の検知および状況データによる工事開始の検知があった場合は正常であると判断し、また、開閉状態データによる解錠の検知のみで状況データを未受信の場合は異常な解錠であると判断する手段として機能することを特徴とする。
【０００９】
また、本発明の請求項３に係る入退管理システムは、
請求項１または請求項２に記載の入退管理システムにおいて、
親局側管理システムの管理装置は、設定テーブルデータに解錠許可の許可期間を併せて設定登録する手段として機能することを特徴とする。
【００１０】
また、本発明の請求項４に係る入退管理システムは、
請求項１〜請求項３の何れか一項に記載の入退管理システムにおいて、
親局側管理システムは、非接触ＩＣカードが電磁結合された場合にその非接触ＩＣカードから識別データを非接触で読み出す読み出し部と、ドアの解錠を行う電子錠と、をさらに有し、
親局側管理システムの管理装置は、識別データに対するドアの解錠許可または解錠不許可を決定する設定テーブルデータをドア別に設定登録する手段と、親局側管理システムの読み出し部から送信される識別データと設定テーブルデータとを対比して解錠するかしないかを判断する手段と、解錠すると判断した場合に親局側管理システムの電子錠を解錠するように制御する手段と、
として機能することを特徴とする。
【００１１】
また、本発明の請求項５に係る入退管理システムは、
請求項４に記載の入退管理システムにおいて、
親局側管理システムは、工事開始または工事終了についての状況データを親局側管理システムの管理装置へ送信する管理端末を有し、
親局側管理システムの管理装置は、親局側管理システムの電子錠の開閉状態データを取得し、開閉状態データによる解錠の検知および状況データによる工事開始の検知があった場合は正常であると判断し、また、開閉状態データによる解錠の検知のみで状況データを未受信の場合は異常な解錠であると判断する手段として機能することを特徴とする。
【発明の効果】
【００１２】
本発明の入退管理システムによれば、簡易な構成で、特定人員に対して特定の箇所に限定して入所・入場を許可することで、セキュリティの向上を図るような入退管理システムを提供することができる。
【発明を実施するための最良の形態】
【００１３】
本発明の入退管理システムを実施するための最良の形態について図に基づき説明する。図１は本形態の入退管理システムの概略図である。
このようなシステムは、例えば、制御所と変電所、工場敷地内の事務建家と倉庫、というように有人箇所と無人箇所との関係を満たす各種施設に適用できる。本形態では、説明の具体化のため、制御所に親局側管理システムが、また、変電所Ａおよび変電所Ｂにそれぞれ子局側管理システムが設置されて構築されるシステムであるとして説明する。
入退管理システム１は、図１で示すように、親局側管理システム１０、複数の子局側管理システム２０、ネットワーク３０、複数枚の非接触ＩＣカード４０を備える。
【００１４】
親局側管理システム１０は、管理装置（パーソナルコンピュータ）１１、ハブ１２、管理端末（タッチパネル）１３、読み書き部（リーダ／ライタ）１４、読み書き部（リーダ／ライタ）１５、電子錠１６を備える。
管理装置１１は、例えばパーソナルコンピュータであり、後述するが設定テーブルデータの設定登録や各種の処理を行う。
ハブ１２は、管理装置１１、管理端末１３、読み書き部１４、読み書き部１５をネットワーク３０に直接接続する。これら構成間ではハブ１２を介して各種データが送受信されることとなる。
【００１５】
管理端末１３は、管理装置１１と通信可能に接続され、ドア１００の横に設置されるタッチパネルであり、ドア１００を開閉する際に後述する入力や出力を行う。
読み書き部（リーダ／ライタ）１４は、本発明の読み出し部の具体例であり、読み出し機能（リーダ機能）と書き込み機能（ライタ機能）とをともに備える装置である。この読み書き部１４は管理装置１１と通信可能に接続される。この読み書き部１４はドア１００の横に設置されてドアの開閉時に使用される。たとえば、図２のように非接触ＩＣカード４０をかざして読み書きを行う。なお、このドア１００の開閉時に使用される読み書き部１４による読み出し・書き込みは、後述する読み書き部２４でも同様である。
【００１６】
読み書き部（リーダ／ライタ）１５は、読み出し機能（リーダ機能）と書き込み機能（ライタ機能）とをともに備える装置である。この読み書き部１５は管理装置１１と通信可能に接続される。この読み書き部１５は、例えば管理装置１１の脇に設置されて非接触ＩＣカード４０への書き込みに使用される。なお、読み書き部１５はハブ１２を介在させないで管理装置１１と直接接続される構成としても良い。
電子錠１６は、電子制御によりドア１００の施錠・解錠を行う装置であり、接続されている読み書き部１４から駆動されて施錠・解錠するようになされている。
【００１７】
子局側管理システム２０は、コントロール装置２１、ハブ２２、管理端末（タッチパネル）２３、読み書き部（リーダ／ライタ）２４、電子錠２５を備える。
コントロール装置２１は、例えばパーソナルコンピュータであり、後述するが認識データと設定テーブルデータとを対比して解錠許可・解錠不許可を判別し、読み書き部２４へ解錠コマンドを送信するという一連の処理を行う。
ハブ２２は、管理装置２１、管理端末２３、読み書き部２４をネットワーク３０に直接接続する。これら構成間ではハブ２２を介して各種データが送受信されることとなる。
【００１８】
管理端末２３は、コントロール装置２１と通信可能に接続され、ドア２００の横に設置されるタッチパネルであり、ドア２００を開閉する際に後述する入力や出力を行う。
読み書き部（リーダ／ライタ）２４は、本発明の読み出し部の具体例であり、読み出し機能（リーダ機能）と書き込み機能（ライタ機能）とをともに備える装置である。この読み書き部２４はコントロール装置２１と通信可能に接続される。この読み書き部２４はドア２００の横に設置されてドア２００の開閉時に使用される。たとえば、図２のように非接触ＩＣカード４０をかざして読み書きを行う。
電子錠２５は、電子的にドア２００の施錠・解錠を行う装置であり、接続されている読み書き部２４から駆動されて施錠・解錠するようになされている。
【００１９】
ネットワーク３０は、例えば、公衆回線や構内ＬＡＮも含むネットワークであったり、または、構内ＬＡＮのみのネットワークとしても良い。
複数枚の非接触ＩＣカード４０は、それぞれ異なる識別データが登録されている。識別データは、詳しくは、個人特定データ（氏名、所属会社という各データ）やコードデータ（数字・文字・記号などのデータ）などである。
【００２０】
続いてこのような入退管理システム１の各構成の動作とともに入退管理の一連の処理について説明する。図２は読み書き部による非接触ＩＣカードへの読み書きについて説明する説明図である。図３はコントロール装置の処理を説明するフローチャートである。図４は識別データによる各ドアの解錠の許可・不許可を設定する設定テーブルデータの説明図である。図５は工事の開始・終了時の手順の説明図である。図６は最終退室の手順の説明図である。
【００２１】
図１の変電所Ａで工事が行われるものとする。電力会社の管理部門がある親局側管理システム１０では、ＩＤカードとなる非接触ＩＣカード４０を発行する。管理装置１１を操作して、非接触カード４０を読み書き部１５にかざして書き込みを行う。例えば、４人の作業員ａ，ｂ，ｃ，ｄに対して、それぞれ識別データ（ｎ−３）、識別データ（ｎ−２）、識別データ（ｎ−１）、識別データｎを設定し、４枚の非接触カード４０に書き込むものとする。
【００２２】
親局側管理システム１０の管理装置１１では、設定テーブルデータが登録される。設定テーブルデータは、図４で示すように、識別データ、種別、許可内容、許可期間が設定されている。今回は、新たに識別データ（ｎ−３）〜識別データｎまでが設定される。例えば、変電所ＡのドアＡは作業員ａ，ｂ，ｃ，ｄの全員に対して解錠許可となっており、また、変電所ＡのドアＺは作業員ａ，ｂ，ｃ，ｄの全員に対して解錠不許可となっている。変電所Ａの他のドアも同様に解錠許可・不許可が設定登録されている。また、許可期間も登録され、当該識別データによる解錠許可期間が設定されている。このため非接触カード４０を無断に持ち出したとしても、解錠許可期間を過ぎれば非接触カード４０の使用ができなくなるというものであり、セキュリティを高めている。なお、識別データ１から識別データ（ｎ−４）までは、従業員イ〜授業員スに割り当てられており、すべてのドアに対して無期限に解除許可が与えられている。
このようなドアＡからドアＺまでの設定テーブルデータが、子局側管理システム２０のコントロール装置２１へ送信される。コントロール装置２１は、最新の設定テーブルデータを登録する。
【００２３】
工事の当日、工事の作業員ａ，ｂ，ｃ，ｄが制御所へ訪れるものとする。制御所にて４枚の非接触カード４０がそれぞれ４人の作業員ａ，ｂ，ｃ，ｄに手渡される。続いて、作業員ａ，ｂ，ｃ，ｄが変電所Ａへ訪れるものとする。変電所Ａで非接触ＩＣカード４０をドア２００の付近にある読み書き部２４にかざすものとする。
例えば作業員ａの非接触ＩＣカード４０が読み書き部２４にかざされたとき、非接触ＩＣカード４０と読み書き部２４とは電磁結合する。読み書き部２４は、非接触ＩＣカード４０に書き込まれている識別データを読み出し、コントロール装置２１へこの識別データを送信する。ここで識別データとともにどのドア２００に設置された読み書き部２４から送信されたかを識別するドアデータも併せた送信データとして送信する。
【００２４】
コントロール装置２１は、図３のフローにより処理するものであり、読み書き部２４から送信データを受信したか否かについて判断し（ステップＳ１１）、送信データを受信したと判断したならば（ステップＳ１１でＹＥＳ）、送信データを記憶保存する（ステップＳ１２）。続いて設定テーブルデータを参照する（ステップＳ１３）。
【００２５】
コントロール装置２１は、送信データに含まれるドアデータおよび認識データに基づき、ドアデータで決定されるドアにおいて認識データは解錠許可されているか否かを判断する（ステップＳ１４）。例えば、図４で示すように、ドアＡにいるとすれば、識別データ（ｎ−３）〜識別データｎのいずれの作業員ａ，ｂ，ｃ，ｄであっても、解錠許可が設定されている。ドアＡの場合は解錠許可されていると判断し（ステップＳ１４でＹＥＳ）、読み書き部２４へ解錠コマンドを送信する（ステップＳ１５）。
【００２６】
なお、ドアＺにいるとすれば、識別データ（ｎ−３）〜識別データｎのいずれの作業員ａ，ｂ，ｃ，ｄであっても、解錠不許可が設定されており（ステップＳ１４でＮＯ）、そのまま解錠されることはなくステップＳ１１の先頭まで戻ってステップＳ１１〜ステップＳ１４の処理を繰り返すこととなる。
【００２７】
ドアＡに話を戻すが、読み書き部２４はコントロール装置２１からの解錠コマンドを受信して、電子錠２５でドアを開放するように制御する。そして、ドアＡを開くことができるようになる。ドアＡが開かれたときコントロール装置２１は、読み書き部２４を介して電子錠２５の開閉状態データを取得する。この後、読み書き部２４に他の作業員ｂ，ｃ，ｄが非接触ＩＣカード４０を次々にかざすと識別データが読み出されて作業員ａ，ｂ，ｃ，ｄが入室したことを把握できる。読み書き部２４は、この識別データと、どのドア２００に設置された読み書き部２４から送信されたかを識別するドアデータと、を併せた送信データを生成して、子局側管理システム２０のコントロール装置２１に加え、親局側管理システム１０の装置１１へもこの送信データを送信する。
【００２８】
ここで、最後に入室する作業員が管理端末２３から工事開始を入力する。すると、管理端末２３はコントロール装置２１へ工事開始されたことを示す状況データを出力する。コントロール装置２１は、電子錠２５の開閉状態データによる解錠の検知および状況データによる工事開始の検知があったため正常であると判断する。そして、図５で示すように、コントロール装置２１は親局側管理システム１０の管理装置１１へ正常であることを示すデータを送信し、管理装置１１は工事開始を音声・アラームや表示により報知する。これにより解錠・工事開始の入力という予定される正しいデータが入力されており、このような手順を知っているのは作業員のみであって不審者ではないと判定ができる。
【００２９】
なお、開閉状態データによる解錠の検知のみで状況データが所定期間にわたり検知されない場合は、管理端末２３で工事開始を入力する必要があるという約束を知らない作業員以外のものによる解錠であると判断する。そして、コントロール装置２１は、親局側管理システム１０の管理装置１１へ異常であることを示すデータを送信し、親局側管理システム１０の管理装置１１では音声・アラームや表示により異常を報知する。
特にこのような手順を踏むことで、特定人員に対して特定の箇所に限定して入所・入場を許可することが実現されており、セキュリティの向上を図るような入退管理システム１としている。
【００３０】
なお、終了時も管理端末２３から工事終了を入力する。すると、図５で示すように、親局側管理システム１０の管理装置１１で工事終了を報知する。これにより、親局側管理システム１０で工事の終了を把握できる。
【００３１】
また、作業員が最終の退室者である場合、無人の変電所などではいわゆる戸締まりが必要であるが、作業員が不慣れであるため、戸締まりが困難な場合がある。そこで、図６で示すように管理端末２３の表示部に戸締まり手順を表示させる。まず、最終退室を入力すると、管理端末２３の表示部に「火の元点検」を表示する。コントロール装置２１は各種スイッチのオン・オフを確認して状態ＯＫであることを管理端末２３の表示部に表示させる。問題箇所がある場合には管理端末２３の表示部に表示するようにする。続いて、管理端末２３の表示部に室内照明を消灯したかを表示する。コントロール装置２１は各種スイッチのオン・オフを確認して消し忘れがある場合には消し忘れを表示させ、問題箇所を消灯した後で状態ＯＫであることを管理端末２３の表示部に表示させる。続いて、施錠されているか否かを確認し、電子錠すべてが施錠されている場合には、コントロール装置２１は状態ＯＫであることを管理端末２３の表示部に表示させる。
【００３２】
なお、本形態では、親局側管理システム１０と子局側管理システム２０との処理について説明した。しかしながら、親局側管理システム１０の管理装置１１が子局側管理システム２０のコントロール装置２１としての役割を兼ね、親局側管理システム１０が読み書き部１４、管理端末１３、電子錠１６を備えることで、親局側管理システム１０でも同様の処理を行うことができる。この点について説明する。
【００３３】
図１の制御所で工事が行われるものとする。電力会社の管理部門がある親局側管理システム１０では、ＩＤカードとなる非接触ＩＣカード４０を発行する。先と同様に、４人の作業員ａ，ｂ，ｃ，ｄに対して、それぞれ識別データ（ｎ−３）、識別データ（ｎ−２）、識別データ（ｎ−１）、識別データｎを設定し、４枚の非接触カード４０に書き込むものとする。
【００３４】
親局側管理システム１０の管理装置１１では、設定テーブルデータが登録される。設定テーブルデータは、図４で示すように、識別データ、種別、許可内容、許可期間が設定されている。今回は、新たに識別データ（ｎ−３）〜識別データｎまでが設定される。制御所のドアＡは作業員ａ，ｂ，ｃ，ｄの全員に対して解錠許可となっており、また、制御所のドアＺは作業員ａ，ｂ，ｃ，ｄの全員に対して解錠不許可となっている。また、許可期間も登録され、当該識別データによる解錠許可期間が設定されており、管理装置１１は、最新の設定テーブルデータを登録する。
【００３５】
工事の当日、工事の作業員ａ，ｂ，ｃ，ｄが制御所へ訪れるものとする。制御所にて４枚の非接触カード４０がそれぞれ４人の作業員ａ，ｂ，ｃ，ｄに手渡される。続いて、同じ制御所内のドアＡまで行って非接触ＩＣカード４０をドア１００の付近にある読み書き部１４にかざすものとする。
非接触ＩＣカード４０が読み書き部１４にかざされたとき、非接触ＩＣカード４０と読み書き部１４とは電磁結合する。読み書き部１４は、非接触ＩＣカード４０に書き込まれている識別データを読み出し、管理装置１１へこの識別データを送信する。ここで識別データとともにどのドア１００に設置された読み書き部１４から送信されたかを識別するドアデータも併せた送信データとして送信する。
【００３６】
管理装置１１も、図３のフローにより処理するものであり、読み書き部１４から送信データを受信したか否かについて判断し（ステップＳ１１）、送信データを受信したと判断したならば（ステップＳ１１でＹＥＳ）、送信データを記憶保存する（ステップＳ１２）。続いて設定テーブルデータを参照する（ステップＳ１３）。
【００３７】
管理装置１１は、送信データに含まれる認識データは解錠許可されているか否かを判断する（ステップＳ１４）。例えば、図４で示すように、制御所のドアＡにいるとすれば、識別データ（ｎ−３）〜識別データｎのいずれの作業員ａ，ｂ，ｃ，ｄであっても、解錠許可が設定されている。ドアＡの場合は解錠許可されていると判断し（ステップＳ１４でＹＥＳ）、読み書き部１４へ解錠コマンドを送信する（ステップＳ１５）。
【００３８】
なお、制御所のドアＺにいるとすれば、識別データ（ｎ−３）〜識別データｎのいずれの作業員ａ，ｂ，ｃ，ｄであっても、解錠不許可が設定されており（ステップＳ１４でＮＯ）、そのまま解錠されることはなくステップＳ１１の先頭まで戻ってステップＳ１１〜ステップＳ１４の処理を繰り返すこととなる。
【００３９】
ドアＡに話を戻すが、読み書き部１４は管理装置１１からの解錠コマンドを受信して、電子錠１６でドアを開放するように制御する。そして、ドアＡを開くことができるようになる。このとき管理装置１１は、読み書き部１４を介して電子錠１６の開閉状態データを取得する。この後、読み書き部１４に作業員が非接触ＩＣカード４０を次々にかざすと識別データが読み出されて作業員が入室したことを把握できる。読み書き部１４は、この識別データと、どのドア１００に設置された読み書き部１４から送信されたかを識別するドアデータと、を併せた送信データを生成して、親局側管理システム１０の管理装置１１へこの送信データを送信する。
【００４０】
ここで、最後に入室する作業員は管理端末１３から工事開始を入力する。すると、管理装置１１は、電子錠１６の開閉状態データによる解錠の検知および状況データによる工事開始の検知があったため正常であると判断する。そして、管理装置１１で工事開始を報知する。これにより解錠・工事開始報知という正しい手順を経ていると判断できる。このような手順を知っているのは作業員のみであり、不審者ではないと判定ができる。
【００４１】
なお、開閉状態データによる解錠の検知のみで状況データが所定期間にわたり検知されない場合は、工事開始を入力する必要があるという約束を知らない作業員以外のものによる解錠であると判断する。そして、親局側管理システム１０の管理装置１１で異常を報知する。
なお、終了時も管理端末１３から工事終了を入力する。すると、図５で示すように、管理装置１１で工事終了を報知する。これにより、工事の終了を把握できる。
【００４２】
また、作業員が最終の退室者である場合、いわゆる戸締まりが必要であるが、作業員が不慣れであるため、戸締まりが困難な場合がある。そこで、図６で示すように管理端末１３の表示部に戸締まり手順を表示させる。まず、最終退室を入力すると、管理端末１３の表示部に「火の元点検」を表示する。監視装置１１は各種スイッチのオン・オフを確認して状態ＯＫであることを管理端末１３の表示部に表示させる。続いて、室内照明を消灯したかを表示する。監視装置１１は各種スイッチのオン・オフを確認して消し忘れがある場合には消し忘れを表示させ、問題箇所を消灯した後で状態ＯＫであることを管理端末１３の表示部に表示させる。続いて、施錠されているか否かを確認し、電子錠すべてが施錠されている場合には、状態ＯＫであることを管理端末１３の表示部に表示させる。
入退管理システム１の基本的な機能はこのようなものである。
【００４３】
また、入退管理システム１に各種の機能を追加できる。
工事予定管理機能では、監視装置１１で工事予定を入力し、その入力情報に基づいた表示を行う。また、監視装置１１で工事予定ファイルを読み込み自動的に登録することができる。この場合、監視装置１１は、設定テーブルデータにおいて工事予定期間をそのまま許可期間に設定することができる。
【００４４】
扉開閉状態監視機能では、制御所に設置の管理装置１１や各変電所Ａ，Ｂに設置のコントロール装置２１から各ドアの開閉状態を収集しているが、管理装置１１のディスプレイに開閉状態を表示する。ドアが開かれたままの異常などを検出できる。
コントロール装置２１は読み書き部２４が読み出したドア２００の開閉状態データを取得している。管理装置１１は、ハブ２２、ネットワーク２０およびハブ１２を介してコントロール装置２１から各ドアの開閉状態データを取得し、各ドアが開か閉かを表示することで実現している。管理装置１１も読み書き部１４が読み出したドア１００の開閉状態データを取得しており、同様に各ドアが開か閉かを表示することで実現している。
【００４５】
在室者確認機能では、在室している作業者を表示する。
管理装置１１は、ハブ１２、ネットワーク２０およびハブ２２を介して読み書き部２４で読み出した認識データ（ｎ−３）〜ｎを取得し、設定テーブルデータを参照することで、作業員ａ，ｂ，ｃ，ｄを割り出してこれら作業員ａ，ｂ，ｃ，ｄが在室していることを確認でき、作業者ａ，ｂ，ｃ，ｄを表示することで実現する。また、管理装置１１は、読み書き部１４で読み出した認識データ（ｎ−３）〜ｎを取得し、設定テーブルデータを参照することで、作業員ａ，ｂ，ｃ，ｄを割り出してこれら作業員ａ，ｂ，ｃ，ｄが在室していることを確認でき、作業者ａ，ｂ，ｃ，ｄを表示することで実現する。
【００４６】
鍵開閉状態監視機能では、制御所に設置の管理装置１１や各変電所Ａ，Ｂに設置のコントロール装置２１から鍵状態を収集し、管理装置に表示する。
コントロール装置２１は読み書き部２４が読み出した電子錠２５の開閉状態データを取得している。管理装置１１は、ハブ２２、ネットワーク２０およびハブ１２を介してコントロール装置２１から電子錠２５の開閉状態データを取得し、電子錠２５が開か閉かを表示することで実現している。同様に管理装置１１は読み書き部１４が読み出した電子錠１６の開閉状態データを取得し、電子錠１６が開か閉かを表示することで実現している。
【００４７】
遠方制御機能では、万が一施錠がされなかった場合のように管理装置１１の画面上で選択したドアに対して遠方制御で施錠操作を行ったり、逆に解錠操作も行うことができる。変電所Ａのドア２００ならば、管理装置１１から、ハブ１２、ネットワーク２０およびハブ２２を介して読み書き部２４まで通信できるため、読み書き部２４に解錠コマンドを送信して電子錠２５を施錠したり、あるいは解錠する。制御所のドア１００ならば、管理装置１１から、ハブ１２を介して読み書き部１４まで通信できるため、読み書き部１４に解錠コマンドを送信して電子錠１６を施錠したり、あるいは解錠する。
【００４８】
以上本発明の各種形態について説明した。しかしながら、上記形態では各種の変形形態が可能である。例えば、非接触ＩＣカード４０は読み書き部に密着・近接させたときに電磁結合するものとして説明した。しかしながら、多少離れていても電磁結合する遠隔型の非接触ＩＣカード４０を採用しても良い。
【００４９】
このような本発明によれば、簡易な構成で、特にドアの開閉の制限による入退制限機能・所定期間ドアを開く設定をするスケジュール機能を実現しており、特定人員に対して特定の箇所に限定して入所・入場を許可することで、セキュリティの向上を図るような入退管理システムを提供している。
【図面の簡単な説明】
【００５０】
【図１】本発明を実施するための最良の形態の入退管理システムの概略図である。
【図２】読み書き部による非接触ＩＣカードへの読み書きについて説明する説明図である。
【図３】コントロール装置の処理を説明するフローチャートである。
【図４】識別データによる各ドアの解錠の許可・不許可を設定する設定テーブルデータの説明図である。
【図５】工事の開始・終了時の手順の説明図である。
【図６】最終退室の手順の説明図である。
【符号の説明】
【００５１】
１：入退管理システム
１０：親局側管理システム
１１：管理装置（パーソナルコンピュータ）
１２：ハブ
１３：管理端末（タッチパネル）
１４：読み書き部（リーダ／ライタ）
１５：読み書き部（リーダ／ライタ）
１６：電子錠
２１：コントロール装置
２２：ハブ
２３：管理端末（タッチパネル）
２４：読み書き部（リーダ／ライタ）
２５：電子錠
３０：ネットワーク
４０：非接触ＩＣカード
【図１】
2008027140.tif 000003
【図２】
2008027140.tif 000004
【図３】
2008027140.tif 000005
【図４】
2008027140.tif 000006
【図５】
2008027140.tif 000007
【図６】
2008027140.tif 000008